(57)【要約】      （修正有）【課題】エレベータを運転制御する機器の保守・点検および部品の交換を容易に行うことができるエレベータ制御盤を得る。【解決手段】エレベータを運転制御する機器・部品が実装された制御盤本体３に、機器・部品の取付および組立を前面から行なう機器を横向きに実装するエレベータ制御盤において、機器１や部品を取付ける取付板２を備え、この取付板２を制御盤本体３の背板に固定し、取付板２は、制御盤本体３の正面方向からすべて制御盤本体３に固定されるようにする。【選択図】図１
2006306528.tif 000002
【特許請求の範囲】
【請求項１】
エレベータを運転制御する機器・部品が実装された制御盤本体に、上記機器・部品の取付および組立を前面から行なう機器を横向きに実装するエレベータ制御盤において、
上記機器・部品を取付ける取付板を備え、該取付板を、上記制御盤本体の背板に固定したことを特徴とするエレベータ制御盤。
【請求項２】
上記取付板を、上記制御盤本体の側板とヒンジを用いて枢着し、該取付板の回動軸を上記制御盤本体の側面に配置したことを特徴とする請求項１記載のエレベータ制御盤。
【請求項３】
上記取付板を、上記制御盤本体の背板と前板の両方で固定したことを特徴とする請求項１記載のエレベータ制御盤。
【請求項４】
上記取付板は、上記制御盤本体の正面方向からすべて該制御盤本体に固定されることを特徴とする１〜３のいずれかに記載のエレベータ制御盤。
【請求項５】
上記取付板は、上記制御盤本体の背板と前板の両方で固定する際の取付穴が、該取付板側に設けられていることを特徴とする請求項３または４記載のエレベータ制御盤。
【請求項６】
上記取付板は、Ｚ字形状に曲げられ、その真中の部分に上記機器・部品が取り付けられ、その両端の曲げ部分を上記制御盤本体の背板と前板の手前でそれぞれ固定されていることを特徴とする請求項３〜５のいずれかに記載のエレベータ制御盤。
【請求項７】
上記取付穴は、上記制御盤本体の背板側と前板側に複数個設けられ、該制御盤本体の背板側と前板側の取付穴間隔を等距離とし、上記制御本体盤の背板側の取付穴にて、上記制御盤本体前板側の取付箇所に上記機器・部品を取付けるようにしたことを特徴とする請求項５または６記載のエレベータ制御盤。
【発明の詳細な説明】
【技術分野】
【０００１】
この発明は、エレベータ制御盤に関し、特に、エレベータを運転制御する機器・部品が実装された制御盤の盤内機器の取付を改善したエレベータ制御盤に関するものである。
【背景技術】
【０００２】
近年、エレベータ機器をすべて昇降路内に入れた、機械室レスエレベータが普及している。限られた空間にすべての機器を搭載するために、エレベータの制御盤全体も、昇降路内のスペースを有効に活用できる、薄型化・幅狭化し、長尺な制御盤が要求されることが多い。よって、その制御盤内に収める運転制御する機器・部品も小型化、薄型化が要求されている。様々な機器の選定や配置をする中、従来の制御盤の場合、その背板に機器が取り付けられ、かつ奥行き方向の長さがある機器は、その取付面を側面に変え、制御盤に対し横向きに機器を取り付けることで、薄型制御盤の中に機器を納めることができる（例えば、特許文献１参照）。
【０００３】
【特許文献１】特開２００１−３１０８８０号公報
【発明の開示】
【発明が解決しようとする課題】
【０００４】
しかしながら、上記公報に記載されているようなエレベータ制御盤の場合には、エレベータを運転制御する機器を横向きに実装し、制御盤側面に固定・実装した場合、その機器が横向きであるために、保守・点検および部品の交換が困難である場合がある。例えば、エレベータを運転制御する機器としては、電磁開閉器があげられる。一般性・汎用性のある電磁開閉器は、保守・点検が容易であるように、機器の前面側より電線取付ネジおよび接点を納めた部分を設け、上下または左右から入線する主要回路電線のネジのまし締め、またはテスタなどによる電圧チェックが容易にできるようにしている。そして、奥側にその接点の入り切りを行うためのコイルが配置されるものが多い。制御盤の薄型化を行なうためには、ある一定以上の奥行きのある電磁開閉器は、機器を横向きにして実装し、薄型制御盤に搭載が可能となる場合がある。
しかしながら、上記のような従来のエレベータ制御盤の場合には、機器を横向きに実装することにより、その機器の取り付け穴および主要回路電線ネジ部も横向きとなるため、ネジ部に工具が入るようなスペースを設けておく、または特殊な工具を用意するなど作業が困難になる場合がある等の問題点があった。
【０００５】
この発明は、上記のような課題を解決するためになされたもので、エレベータを運転制御する機器の保守・点検および部品の交換を容易に行うことができるエレベータ制御盤を得ることを目的とする。
【課題を解決するための手段】
【０００６】
この発明に係るエレベータ制御盤は、エレベータを運転制御する機器・部品が実装された制御盤本体に、機器・部品の取付および組立を前面から行なう機器を横向きに実装するエレベータ制御盤において、機器・部品を取付ける取付板を備え、この取付板を制御盤本体の背板に固定したものである。
【発明の効果】
【０００７】
この発明は、エレベータ制御盤に横向きに実装された機器を、簡単な構造の取付板を用いることにより、制御盤内のデッドスペースが少なくても、機器の保守点検がスペースの狭い場所で容易に行なうことができるという効果がある。
【発明を実施するための最良の形態】
【０００８】
以下、この発明の一実施の形態を、図１〜図８を参照して説明する。
実施の形態１．
図１〜図３は、この発明の実施の形態１によるエレベータ制御盤を示すもので、図１は薄型制御盤への機器取付正面図、図２は薄型制御盤への機器取付断面平面図、図３は保守点検時の薄型制御盤への機器取付断面平面図である。
図１〜図３において、本実施の形態によるエレベータ制御盤は、実装する機器１が固定される取付板２と、取付板２が固定される制御盤本体３とを備える。
実装する機器１を取付板２に固定し、その取付板２を制御盤本体３に固定する。機器１を取付板２に固定するには、機器１の交換を考え取替えが可能なように、例えばネジ（図示せず）を使用して固定する。
【０００９】
また、取付板２の制御盤本体３への固定は、制御盤本体３へ固定される部分の取付板２をＬ字形状に曲げ、実装される機器１に隠れない上または下の部分に取付穴４を設け、例えばネジ（図示せず）などで固定する。このことにより、正面から見たときに、固定しているネジを簡単に確認することができ、また、正面からネジを、一般的な工具、例えばドライバではずすことが可能となり、保守点検が容易に行なえる。また、取付穴４をダルマ穴にしておけば、ネジを緩めるだけで機器１の挿抜が可能となる。
【００１０】
ここで、機器１が例えば、電磁開閉器（図示せず）の場合、取付板２の固定ネジを緩めて手前に機器１を引き出した状態で、上下または左右から接点を納めた接点収納部５へ入線する主要回路電線６のネジのまし締め、またはテスタなどによる電圧チェックなど一般的な工具を使用して行なうことが可能であるため、保守点検が容易にできる。複数の機器１を同じ取付板２に取り付けてもよく、そのことにより同時に複数の機器１を引き出すことができ、同時に保守点検をすることができる。なお、機器１の奥側には、接点収納部５の接点の入れ切りを行なうコイル７が配置されている。
【００１１】
このように、本実施の形態では、機器１を取付板２に固定する際に、機器１の交換を考え取替えが可能なようにネジを使用し、また、取付板２の制御盤本体３への固定を、制御盤本体３へ固定される部分の取付板２をＬ字形状に曲げ、実装される機器１に隠れない上または下の部分に取付穴４を設けて固定するので、正面から見たときに、固定しているネジを簡単に確認することができ、また、正面からネジを、一般的な工具ではずすことが可能となり、保守点検が容易に行なえ、しかも、ネジを緩めるだけで機器１の挿抜が可能となる。
【００１２】
なお、複数の機器１を同じ取付板２に取り付けてもよく、これにより同時に複数の機器１を引き出すことができ、同時に複数の機器１の保守点検をすることができ、保守点検の効率化を図ることができる。
【００１３】
実施の形態２．
図４および図５は、この発明の実施の形態２によるエレベータ制御盤を示すもので、図４は薄型制御盤への機器取付正面図、図５は保守点検時の薄型制御盤への機器取付断面平面図である。なお、図４および図５において、図１〜図３と対応する部分には同一符号を付し、その詳細説明を省略する。
上記実施の形態１では、取付板２を制御盤本体３から取り外すことで、機器１をはずすことが可能であるが、制御盤本体３と完全に独立してしまうために、機器１をどこかで保持する必要がある。
【００１４】
そこで、本実施の形態では、例えば機械室レスエレベータにおける薄型の制御盤は、縦方向に長く、機器１が上部に取りつけられていたり、制御盤が昇降路内上部に取付られ、かご上からの保守をする場合、また、狭い袖壁などに制御盤が取り付けられている場合に、機器１を容易に保守点検をするために、図４に示すように、ヒンジ８を用いて制御盤本体３と取付板２を枢着し、そして、ヒンジ８の回動軸を制御盤本体３の側面に配置する。
【００１５】
これにより、通常実装時は、図４に示すように、薄型の制御盤本体３に機器１が納まるように実装され、保守点検時には、図５に示すように、取付板２をヒンジ８を矢印ａで示すように回転させることにより機器１ごと回転し、主要回路電線６（図１参照）のネジおよび機器１の取付ネジが正面に出ながら、かつ取付板２および機器１は、ヒンジ８を介して制御盤本体３に支えられているために、容易に保守点検が実施可能である。
【００１６】
このように、本実施の形態では、ヒンジ８を用いて制御盤本体３と取付板２を枢着し、また、ヒンジ８の回動軸を制御盤本体３の側面に配置することで、機器１や制御盤本体３の取付位置に無関係に容易に保守点検を行なうことができ、保守点検の効率化を図ることができる。
【００１７】
なお、本実施の形態でも上記実施の形態１と同様に、複数の機器１を同じ取付板２に取り付けてもよく、これにより同時に複数の機器１を引き出すことができ、同時に複数の機器１の保守点検をすることができる。
【００１８】
実施の形態３．
図６〜図８は、この発明の実施の形態３によるエレベータ制御盤を示すもので、図６は薄型制御盤への機器取付正面図、図７は薄型制御盤への機器取付断面平面図、図８は保守点検時の薄型制御盤への機器取付断面平面図である。なお、図６〜図８において、図１〜図５と対応する部分には同一符号を付し、その詳細説明を省略する。
上記実施の形態２では、ヒンジ８を使用したことにより、機器１を回転させるときのデッドスペースを確保する必要があること、ヒンジ８の部品を準備しなければならないこと、また、ヒンジ８を介して支えられているために機器１が固定されているわけではないため、機器１が保守点検時に回転してしまうことが考えられる。
【００１９】
そこで、本実施の形態では、上記実施の形態１での取付板を制御盤本体の前面でも固定できるように、図６に示す如く、制御盤本体９を前面に取付箇所としての取付穴１１を設けることができるよう、コの字型に曲げるとともに、取付板１０側も前面側で取付けることができるようにＺ字形状に曲げる。そして、通常実装時には、図７に示すように、薄型である制御盤本体９に機器１が納まるように実装され、保守点検時には、図８に示すように、取付板１０の固定ネジをはずし、機器１を制御盤本体９から取付板１０ごと引出し、取付板１０のＺ字形状に曲げた奥側の取付穴４の制御盤本体９前面側の取付穴１１を利用し、ネジを用いて機器１および取付板１０を固定する。これにより、機器１を制御盤本体９から引き出す際のデッドスペースを少なく抑えつつ保守性を確保でき、その保守時の機器１の出幅１３も上記実施の形態２のヒンジ構造に比べて少なくすることができる。
【００２０】
さらに、取付板１０の取付穴を背板側、前板側にそれぞれ複数個、つまり２つ以上例えば取付穴４、１１を設け、かつその取付穴４、１１の間隔１２を同じにしておけば、保守点検時に機器１を制御盤本体９から引き出して前板側の取付穴１１で取付板１０を固定した際、２点で固定することができるため、上下または左右から入線する主要回路電線６（図１）のネジのまし締め、またはテスタなどによる電圧チェックなど一般的な工具を使用して行なうことが可能であり、スペースが狭い、足場が悪いといった条件の悪い場所であった場合でも、保守点検が容易にできる。
【００２１】
このように、本実施の形態では、保守点検時に機器１を制御盤本体９から取付板１０ごと引出しできる構造とすることにより、スペースが狭い、足場が悪いといった条件の悪い場所であった場合でも、容易にかつ効率よく保守点検が可能になる。
【００２２】
なお、本実施の形態でも上記実施の形態１および２と同様に、複数の機器１を同じ取付板１０に取り付けてもよく、これにより同時に複数の機器１を引き出すことができ、同時に保守点検をすることができる。
【図面の簡単な説明】
【００２３】
【図１】この発明の実施の形態１によるエレベータ制御盤における薄型制御盤への機器取付正面図である。
【図２】この発明の実施の形態１によるエレベータ制御盤における薄型制御盤への機器取付断面平面図である。
【図３】この発明の実施の形態２によるエレベータ制御盤における保守点検時の薄型制御盤への機器取付断面平面図である。
【図４】この発明の実施の形態２によるエレベータ制御盤における薄型制御盤への機器取付正面図である。
【図５】この発明の実施の形態２によるエレベータ制御盤における薄型制御盤への機器取付断面平面図である。
【図６】この発明の実施の形態３によるエレベータ制御盤における薄型制御盤への機器取付正面図である。
【図７】この発明の実施の形態３によるエレベータ制御盤における薄型制御盤への機器取付断面平面図である。
【図８】この発明の実施の形態３によるエレベータ制御盤における保守点検時の薄型制御盤への機器取付断面平面図である。
【符号の説明】
【００２４】
１    機器、２，１０    取付板、３，９    制御盤本体、４，１１    取付穴、  ６    主要回路電線、８    ヒンジ。
【図１】
2006306528.tif 000003
【図２】
2006306528.tif 000004
【図３】
2006306528.tif 000005
【図４】
2006306528.tif 000006
【図５】
2006306528.tif 000007
【図６】
2006306528.tif 000008
【図７】
2006306528.tif 000009
【図８】
2006306528.tif 000010